(57)【要約】【課題】  ブローバイガスからオイルを分離するフィルタ室２を備えた内燃機関において、その分離したオイルを回収する回収管１９からブローバイガスがフィルタ室２側へ逆流するのを確実に防止する。【解決手段】  ブローバイガスからオイルを分離するフィルタ室２と、このフィルタ室２でブローバイガスから分離されたオイルを回収するオイル回収管１９と、チェーンケース３４の内部側の側壁に設けられるとともにオイル回収管１９の下流側に接続される油溜め１６と、を備える。フィルタ室２で分離されたオイルは、オイル回収管１９から前記油溜め１６へ導入された後にオイルパンに戻されるように構成する。油溜め１６は上部に開放部１７を備え、また、前記チェーンケース３４の内壁面３５には、当該内壁面３５に付着したオイルを前記開放部１７へ誘導する誘導リブ２１が形成されている。【選択図】  図１
2006152951.tif 000002
【特許請求の範囲】
【請求項１】
ブローバイガスからオイルを分離するオイル分離室と、
このオイル分離室でブローバイガスから分離されたオイルを回収する回収経路と、
この回収経路の下流側に接続されるとともに上部に開放部を有する油溜めと、を備え、
分離されたオイルは前記回収経路から前記油溜めへ導入された後にオイルパンに戻されるよう構成するとともに、
エンジン構成部材には、その壁面に付着したオイルを前記開放部へ誘導する誘導面が設けられていることを特徴とする内燃機関。
【請求項２】
ブローバイガスからオイルを分離するオイル分離室と、
このオイル分離室でブローバイガスから分離されたオイルを回収する回収経路と、
この回収経路の下流側に接続されるとともに上部に開放部を有する油溜めと、を備え、
分離されたオイルは前記回収経路から前記油溜めへ導入された後にオイルパンに戻されるよう構成するとともに、
前記油溜めは上部に開放部を備え、オイルジェットから噴射されたオイルが前記開放部から前記油溜めに入るように構成したことを特徴とする内燃機関。
【請求項３】
請求項１又は請求項２に記載の内燃機関であって、前記油溜めの開放部は、エンジン構成部材の内側の側壁面に開口していることを特徴とする内燃機関。
【請求項４】
請求項３に記載の内燃機関であって、
前記油溜めを構成する壁部の少なくとも一部が、前記エンジン構成部材の側壁面よりエンジン内方側へ張り出して設けられていることを特徴とする内燃機関。
【請求項５】
請求項１から請求項４までの何れか一項に記載の内燃機関であって、
前記回収経路は、前記油溜めの前記開放部を通さずに、前記油溜めを構成する壁部を貫通させて、その下流端を前記油溜めの内部に位置させていることを特徴とする内燃機関。
【請求項６】
請求項１から請求項５までの何れか一項に記載の内燃機関であって、
前記油溜めは、チェーンケース、クランクケース、又はヘッドカバーのうち何れかの内部空間に設けられていることを特徴とする内燃機関。
【請求項７】
請求項１から請求項５までの何れか一項に記載の内燃機関であって、
前記油溜めがチェーンケース又はクランクケースに設けられ、前記オイル分離室がヘッドカバーの内部空間、または、同等以上の高さがある外部に設けられていることを特徴とする内燃機関。
【発明の詳細な説明】
【技術分野】
【０００１】
本発明は、ブローバイガスからオイルを分離するオイル分離構造を備える内燃機関に関する。
【背景技術】
【０００２】
エンジンを作動させると、通常は、シリンダブロックとピストンの隙間やピストンリング等から、未燃ガス（ブローバイガス；ＢＢＧ）がクランクケース内に漏れてくる。このブローバイガスをそのまま排出すると環境への負荷が大となり、またエンジン内部に滞留させておいたのではエンジン内部の腐食やオイルの劣化を招くこととなるため、ブローバイガスをインテークマニホールドに戻して燃焼させるシステム（ポジティブクランクケースベンチレーション；ＰＣＶ）が従来から提案されている。
【０００３】
この構成において、ブローバイガスは通常、クランクケースからＰＣＶ通路等を介してインテークマニホールドに送られる。しかしながら、クランクケースの内部（クランク室）では多量のオイルが飛散しているので、クランクケースから供給されるブローバイガスにはオイルの粒子（オイルミスト）が多量に含まれている。この状態のブローバイガスをそのままインテークマニホールドに送ると、オイルの消費の悪化を招き、また、オイルが吸気中に再循環されることから排気ガスのＨＣが増加してしまう。また、このようなブローバイガス内のオイルミスト（あるいは燃焼生成物の粒子）が動弁系等に付着すると、デポジットが堆積してしまう。
【０００４】
従って、ブローバイガスに含まれるオイルミストを吸気側に送る前に分離するオイルセパレータ構造が、特許文献１で提案されている。この特許文献１では、フィルタや蛇行通路からなるオイル分離部をヘッドカバー上部に設け、このオイル分離部にブローバイガス入口を介してブローバイガスを導き、分離されたオイルをその自重によりオイル回収管の内部を落下させて下方の油溜まり容器にいったん貯溜し、それから溢れたオイルをロッカーアーム室からオイルパンに戻す構成が開示されている。
【０００５】
この特許文献１の構成では、前記ブローバイガス入口が前記オイル回収管と別々になっており、更にオイル回収管の下端が油溜まり容器の上口よりも所定距離だけ下側に位置している。従って、ブローバイガスがオイル回収管経由で噴き上げることがなく、オイル回収管内のオイルの逆流を防止でき、ブローバイガスのオイルの連れ出しが増えることを防止できるという。
【特許文献１】特開平８−２６０９３６号公報（段落番号００１７〜００２０，００２３）
【発明の開示】
【発明が解決しようとする課題】
【０００６】
しかしながら、前述のブローバイガスには通常、オイルミストのみならず水分も若干含まれている。特許文献１には水分について何ら記載がないが、特許文献１の構成では、ブローバイガス中の水分はオイル分離部によって分離され、オイルとともにオイル回収管内を通り、油溜まり容器に溜められると考えられる。即ち、油溜まり容器内にはオイルと水が混在した状態となる。
【０００７】
すると、エンジン停止中に、水はオイルとは異なり油溜まり容器から徐々に蒸発するので、油溜まり容器の液面が下がってしまう。そして、液面が前記オイル回収管の下面よりも下がると、開放されるオイル回収管の下端からオイル混じりのブローバイガスがオイル分離部に逆流して吸気側へ抜けてしまい、オイル分離部が本来の機能を果たさなくなってしまう。即ち、オイルの連れ出しが増加するので、オイル消費量の増加、排気ガスの悪化、吸気経路へのデポジットの堆積などの問題が生じてきてしまう。なお、エンジンが始動すれば、再度、オイル回収管よりオイルが供給されるが、時間あたりの供給量は微量であるため、前述のオイルの連れ出し状態が長く継続される。
【課題を解決するための手段及び効果】
【０００８】
本発明の解決しようとする課題は以上の如くであり、次にこの課題を解決するための手段とその効果を説明する。
【０００９】
◆本発明の第１の観点によれば、以下のように構成する、内燃機関が提供される。ブローバイガスからオイルを分離するオイル分離室と、このオイル分離室でブローバイガスから分離されたオイルを回収する回収経路と、この回収経路の下流側に接続されるとともに上部に開放部を有する油溜めと、を備える。分離されたオイルは、前記回収経路から前記油溜めへ導入された後にオイルパンに戻されるよう構成する。エンジン構成部材には、その壁面に付着したオイルを前記開放部へ誘導する誘導面が設けられている。
【００１０】
これにより、油溜めには、ブローバイガスから回収されたオイルが導入されるほか、エンジン構成部材の壁面に付着したオイルも誘導面によって誘導され、開放部から導入される。従って、水分の蒸発などにより油溜めの液面が低下した場合でも、誘導面で誘導されたオイルが油溜めに補充されるので、液面を油溜め内で高く保つことができる。従って、回収経路が開放されてオイル分離室側へオイル混じりのブローバイガスが逆流することを防止できる。
【００１１】
また、前記オイル分離室で異常が生じる等して圧力損失が過大となった場合は、油溜めのオイルがオイル分離室側に逆流することもあり得るが、本発明の構成ではオイルパンではなく油溜めの少量のオイルが逆流するのみであるから、オイルが吸気側に大量に噴出してエンジンを損傷させる事態を回避できる。
【００１２】
◆本発明の第２の観点によれば、以下のように構成する、内燃機関が提供される。ブローバイガスからオイルを分離するオイル分離室と、このオイル分離室でブローバイガスから分離されたオイルを回収する回収経路と、この回収経路の下流側に接続されるとともに上部に開放部を有する油溜めと、を備える。分離されたオイルは、前記回収経路から前記油溜めへ導入された後にオイルパンに戻されるよう構成する。前記油溜めは上部に開放部を備え、オイルジェットから噴射されたオイルが前記開放部から前記油溜めに入るように構成した。
【００１３】
これにより、油溜めには、ブローバイガスから回収されたオイルが導入されるほか、噴射されたオイルジェットから噴射されたオイルが開放部から導入される。従って、水分の蒸発などにより油溜めの油面が低下した場合でも、オイルが油溜めへ供給されて補充されるので、油面を油溜め内で高く保つことができる。従って、回収経路が開放されてオイル混じりのブローバイガスがオイル分離室側へ逆流することを防止できる。
【００１４】
また、前記オイル分離室で異常が生じる等して圧力損失が過大となった場合は、油溜めのオイルがオイル分離室側に逆流することもあり得るが、本発明の構成ではオイルパンではなく油溜めの少量のオイルが逆流するのみであるから、オイルが吸気側に大量に噴出してエンジンを大きく損傷させる事態を回避できる。
【００１５】
◆前記の内燃機関においては、前記油溜めは、エンジン構成部材の内側の側壁面に設けられていることが好ましい。
【００１６】
これにより、側壁面に付着したオイルを当該側壁面に伝わらせて油溜めへ導入させることができるから、より多くの量のオイルを安定的に油溜めへ補充することができる。従って、油溜めの油面が高い状態を、より安定的に保つことができる。
【００１７】
◆前記の内燃機関においては、前記油溜めを構成する壁部の少なくとも一部が、前記エンジン構成部材の側壁面よりエンジン内方側へ張り出して設けられていることが好ましい。
【００１８】
これにより、側壁面を伝ったオイルが容易に開放部から油溜め内に導入されるから、油溜めの油面が高い状態を、より安定的に保つことができる。
【００１９】
◆前記の内燃機関においては、前記回収経路は、前記油溜めの前記開放部を通さずに、前記油溜めを構成する壁部を貫通させて、その下流端を前記油溜めの内部に位置させていることが好ましい。
【００２０】
これにより、開放部を回収経路が通過しないので、開放部を広くすることができ、油溜めへのオイルの補充が一層容易になる。
【００２１】
◆前記の内燃機関においては、前記油溜めの開放部は、チェーンケース、クランクケース、又はヘッドカバーのうち何れかの内部空間に開口されていることが好ましい。
【００２２】
これにより、オイルが多量に飛散しあるいは安定して供給される部分に油溜めの開放部が設置されることとなるから、油溜めへのオイルの補充を容易とできる。
【００２３】
◆前記の内燃機関においては、前記油溜めがチェーンケース又はクランクケースに設けられ、前記オイル分離室がヘッドカバーの内部空間、または、同等以上の高さがある外部に設けられていることが好ましい。
【００２４】
これにより、回収経路の上流端と下流端との間で大きな高低差を作り出すことができるから、オイル分離室で圧力損失が多少生じた場合でも、回収経路内をオイルが上方へ逆流してオイル分離室側へ噴き上げることを防止できる。
【発明を実施するための最良の形態】
【００２５】
次に、発明の実施の形態を説明する。図１は第１実施形態の内燃機関の全体的な構成を示した縦断面図、図２はチェーンケースを内面側から見た図である。
【００２６】
〔第１実施形態〕
図１に縦断面図が示されるガスヒートポンプ用エンジンは、シリンダブロック３１にシリンダヘッド３２を組み付け、このシリンダヘッド３２の上面にヘッドカバー３３を固定している。
【００２７】
このヘッドカバー３３は鋳物製とされており、下側が開放された形状に構成されている。また、ヘッドカバー３３は、その一部が上側に膨出された形状とされ、この膨出部の内部にフィルタ室（オイル分離室）２を形成している。このフィルタ室２には、不織布からなるフィルタ３を収容可能に構成されている。
【００２８】
具体的には上記フィルタ３は、不織布で構成された所定の厚み（数ミリメートル〜数十ミリメートル）のフィルタ材を上下方向に積層させ、全体として略直方体のブロック状に構成している。フィルタ３の水平方向の大きさはフィルタ室２よりも若干大きくなっており、フィルタ３がフィルタ室２に嵌め込まれて設置されることにより、フィルタ３の側縁とフィルタ室２の内壁との間が密着されてシールされ、ブローバイガスがフィルタ３と内壁との間を通過しないようになっている。
【００２９】
フィルタ室２の天井面からは補強リブ４・４ａ・・・が下向き突出状に設けられている。この補強リブ４・４ａ・・・は、ヘッドカバー３３の鋳造時に一体に形成される。この補強リブのうちの一部４ａは、下方への突出量を増大させて、その下端面が前記フィルタ３の上面に接当するように構成されている。この結果、フィルタ３の上面とフィルタ室２の天井面との間に、上下方向の隙間が形成されている。
【００３０】
また図１に示すように、ヘッドカバー３３の内部にはガス通路６が形成されている。この構成で、図示しないプッシュロッド挿通孔等を介して前記ヘッドカバー３３の内部空間へ導入されたブローバイガスは、上記ガス通路６を通じて、前記フィルタ室２の天井面とフィルタ３の上面との間の空間へ導かれる。
【００３１】
図１に示すように、前記ヘッドカバー３３の内部にはフィルタ支持部材７が固定される。このフィルタ支持部材７は、フィルタ室２の下側を閉鎖して下側のロッカー室２０と上側の前記フィルタ室２とを区画するバッフルプレート９と、そのバッフルプレート９の上面に例えば溶接で固定される隙間形成板１０と、により構成される。
【００３２】
この隙間形成板１０は、多数の孔１４を穿孔したプレートを、水平部と垂直部とが交互に現れるように段状に折り曲げて形成している。そして隙間形成板１０は、前記バッフルプレート９をヘッドカバー３３に取り付けたときに、その上面がフィルタ３の下面に接当し、フィルタ３を下側から支持するように構成されている。この結果、フィルタ３はフィルタ室２の内部で、前記バッフルプレート９に対して上下方向の隙間を形成するように支持される。
【００３３】
前記バッフルプレート９の直ぐ上の位置において、ヘッドカバー３３の側壁にはオイル排出口１１が形成される。更に、ヘッドカバー３３の内部にはガス排出路１５が形成され、このガス排出路１５は、ヘッドカバー３３に形成したガス排出口１２に連通される。
【００３４】
内燃機関の側部には鋳物製のチェーンケース３４が固定され、このチェーンケース３４の内部には、クランクシャフトの回転をカムシャフトへ伝達して回転させるための図略のタイミングチェーンが収納されている。なお、タイミングチェーンの下端は、潤滑のため、オイルパン内のオイルに浸されるような配置となっている。
【００３５】
上記チェーンケース３４の内部には、少量のオイルを貯溜できる油溜め１６が設けられている。図１や図２に示すように、この油溜め１６はチェーンケース３４の内側の側壁面にポケット状に形成されている。また、油溜め１６の上部には、チェーンケース３４の内部空間に対して開放する開放部１７を備えている。
【００３６】
図１に示すように、ポケット状の油溜め１６の内面壁１８は、チェーンケース３４の内壁面３５よりも若干エンジン内部側に張り出した形状となっている。また、この油溜め１６の配設位置は、前記オイル排出口１１よりも下方の位置に設定されている。
【００３７】
そして、前記ヘッドカバー３３に形成されたオイル排出口１１にはオイル回収管（回収経路）１９の一端が接続される。このオイル回収管１９はエンジン外部の配管とされ、その他端は、チェーンケース３４を外側から貫通して前記油溜め１６の内部に突入し、当該油溜め１６の底部に開口させている。
【００３８】
次に、上記の実施形態でのブローバイガス及びオイルの流れを、図３を参照して説明する。即ち、オイルミスト混じりのブローバイガスは図３のハッチング付き矢印で示すように、クランクケースからプッシュロッド挿通孔等の図示しない経路を経由してヘッドカバー３３内に導入され、前記ガス通路６を通過して、フィルタ室２の上側の空間（フィルタ３の上面とフィルタ室２の天井面との間の空間）に導かれる。その後、ブローバイガスはフィルタ３の上面から内部に入って下方へ流れ、それに伴って、ブローバイガスに含まれるオイルミストがフィルタ３に捕集される。オイルミストを取り除かれたブローバイガスは、図３の白抜き矢印で示すようにフィルタ３の下面から下に抜け、ガス排出路１５及びガス排出口１２を経由して、エンジンの吸気側（エアクリーナ）へ戻される。
【００３９】
一方、フィルタ３によって捕集されたオイルミストはフィルタ３の内部を自重により降下して下面から抜け、油滴となってバッフルプレート９上に落下し、オイル排出口１１からオイル回収管１９を通じて前記油溜め１６にいったん導入される。そして、前記開放部１７から溢れたオイルは、チェーンケース３４内を落下して、図略のオイルパンへ戻される。
【００４０】
なお図２に示すように、前記チェーンケース３４の内壁面３５には誘導リブ２１・２１が突出形成されている。この誘導リブ２１・２１は前記油溜め１６の前記開放部１７を挟んで一対で設けられるとともに、両誘導リブ２１・２１が逆ハ字状をなすように斜状に配置されている。
【００４１】
この誘導リブ２１・２１は、前記の内壁面３５を伝って落下するオイルを受けるとともに、そのオイルを前記油溜め１６の開放部１７に向かうように誘導するように構成されている。なお本実施形態では、チェーンケース３４がエンジン構成部材に相当し、上記誘導リブ２１の上面が誘導面に相当する。
【００４２】
この構成で、前記エンジンの運転時には、チェーンケース３４内のチェーンによってオイルが巻き上げられて飛散され、そのオイルスプラッシュの一部が前記開放部１７から油溜め１６に直接入って補充される。また、オイルスプラッシュはチェーンケース３４の内壁面３５に多量に付着し、その一部が、開放部１７から油溜め１６内に直接落下する。あるいはオイルは、誘導リブ２１・２１上に落下し、斜状の誘導リブ２１・２１上を流れて前記開放部１７から油溜め１６の内部に入ることになる。
【００４３】
即ち、前記エンジンの運転時には、前記油溜め１６には、ブローバイガスから前記フィルタ３によって分離されたオイルがオイル回収管１９を経由して貯溜されるのであるが、そのほかにも、チェーンケース３４の内壁面に付着したオイルが誘導リブ２１・２１によって集められ、油溜め１６に常時供給されることになる。
【００４４】
従って、ブローバイガスに含まれる水分がオイルとともに分離されて油溜め１６に貯溜され、その水がエンジン停止中に蒸発して油溜め１６の液面が低下したとしても、エンジン始動後、タイミングチェーンにより巻き上げられ、チェーンケース３４の内壁面３５に付着したオイルが、当該油溜め１６に補充されるから、油溜め１６の油面は、すぐに図３に示すように前記内面壁１８の上端ギリギリの高さに保たれることとなる。従って、仮に、液面がオイル回収管１９の下端部を下回ってオイル回収管１９が開放してしまうことがあっても、エンジン始動後すぐに油溜め１６の液面高さは回復するため、ブローバイガスのオイル回収管１９を通じた流出は最小限に抑制される。
【００４５】
また、本実施形態では、フィルタ室２をヘッドカバー３３内に配置する一方、油溜め１６はチェーンケース３４に配置している。この結果、オイル回収管１９の下端から上端（オイル排出口１１）までの高さの差を十分に確保し、オイル回収管１９内で形成される油柱を上下に長くすることができる。従って、前記フィルタ３の部分で多少の圧力損失が生じ、クランクケース内の圧力が相対的に上昇したとしても、上記の油柱による圧力を上回ることはない。これは、オイル回収管１９内のオイルの逆流（フィルタ室２へのオイルの噴出）を防止できることを意味する。
【００４６】
ただし、フィルタ３に異物が目詰まりする等の異常が発生した場合は、フィルタ３の圧力損失が過大となってクランクケース内の圧力が大きく上昇し、油溜め１６のオイルがオイル回収管１９を介してフィルタ室２へ逆流する可能性もゼロではない。しかしながらこの場合でも、油溜め１６の容量はオイルパンに比較して極めて小さいので、フィルタ室２へ逆流するオイルの量を少なくでき、エンジン吸気側へオイルが大量に噴出する事態を回避できる。
【００４７】
以上に示すように本実施形態の内燃機関は、ブローバイガスからオイルを分離するフィルタ室２と、このフィルタ室２でブローバイガスから分離されたオイルを回収するオイル回収管１９と、このオイル回収管１９の下流側に接続される油溜め１６と、を備える。そしてオイルは、オイル回収管１９から前記油溜め１６へ導入された後にオイルパンに戻されるよう構成している。油溜め１６は上部に開放部１７を備え、また、エンジン構成部材としてのチェーンケース３４の内壁面３５には、当該内壁面３５に付着したオイルを前記開放部１７へ誘導する誘導リブ２１が形成されている。
【００４８】
従って、油溜め１６の油面が（水分の蒸発などの）何らかの事情で低下しても、チェーンケース３４に付着したオイルが誘導リブ２１によって誘導されて開放部１７から油溜め１６に補充される。従って、油溜め１６の油面は安定して高い位置に保たれ、オイル回収管１９の端部の開放（即ち、オイル回収管１９内でのブローバイガスの逆流）を防止できる。
【００４９】
また、本実施形態の内燃機関では、前記油溜め１６は、チェーンケース３４の内側の側壁面（内壁面３５）に設けられている。従って、チェーンケース３４の内壁面３５に付着して当該内壁面３５を伝って落下したオイルを、誘導リブ２１で効率よく集めて油溜め１６に供給できる。この結果、油溜め１６の油面を安定して高い位置に維持することができる。
【００５０】
また、本実施形態の内燃機関においては、油溜め１６の内面壁１８が、前記チェーンケース３４の内壁面３５よりエンジン内方側へ張り出して設けられている。従って、開放部１７を広くできるとともに、前記の内壁面３５を伝って落下するオイルを張出し状の内面壁１８の内側（即ち、油溜め１６の内部）に容易に誘導することができるから、油溜め１６の油面を高い位置に一層安定して維持することができる。
【００５１】
更に、本実施形態の内燃機関においては、オイル回収管１９は、（油溜め１６の前記開放部１７を通過せずに）エンジン外部からチェーンケース３４を貫通して、その下流端を前記油溜め１６の内部に位置させている。従って、チェーンケース３４の内壁面３５のオイルが開放部１７を通過して油溜め１６に誘導される際に、前記オイル回収管１９が邪魔にならない（開放部１７を広くできる）から、オイルの油溜め１６への補充が一層容易となる。
【００５２】
また、本実施形態の内燃機関においては、前記油溜め１６はチェーンケース３４に設けられている。従って、チェーンが駆動することによってオイルは巻き上げられてチェーンケース３４内の内壁面３５に大量に付着することとなるから、オイルを油溜め１６に容易に且つ安定的に補充できる。また、エンジン停止時においても、直前のエンジン運転時において飛散され内壁面３５に付着したオイルを油溜め１６に補充することができる。更に、チェーンケース３４の内部空間は例えばシリンダヘッド３２等と比べてレイアウト上の余裕が比較的大きいので、油溜め１６を設けてもエンジンのコンパクト性を良好に保つことができる。
【００５３】
また、本実施形態の内燃機関では、前記油溜め１６はチェーンケース３４に設けられる一方、フィルタ室２はヘッドカバー３３の内部空間に設けられている。従って、オイル回収管１９の上流端と下流端との間で大きな高低差を作り出すことができ、オイル回収管１９に形成される油柱を上下に長くできる。よって、例えばフィルタ３の圧力損失に伴い、フィルタの上流側とクランクケース内の圧力差が若干増加し、油溜め１６の油面が下側に押されたとしても、上記の油柱の圧力を上回ることはなく、オイル回収管１９内をオイルが上方に逆流することはない。
【００５４】
〔第２実施形態〕
図４には第２実施形態の内燃機関が示され、この第２実施形態では、前述の油溜め１６をヘッドカバー３３の内部空間に設置している。油溜め１６は、上部を開放部１７とした小さな容器状に形成されるとともに、シリンダヘッド３２上に設置されている。
【００５５】
一方、オイル排出口１１は、ヘッドカバー３３にではなく、ロッカー室２０とフィルタ室２とを区画する前記バッフルプレート９に設けられている。このバッフルプレート９には、オイル排出口１１に向かうにつれて下降する傾斜部２２・２２が形成されている。なお本実施形態では、バッフルプレート９がエンジン構成部材に相当し、前記傾斜部２２の下面が誘導面に相当する。
【００５６】
前記オイル排出口１１にオイル回収管１９が接続され、このオイル回収管１９は下方に向けて延出されている。そしてオイル回収管１９は、油溜め１６の開放部１７を通過して、その下端を油溜め１６の内部に位置させている。
【００５７】
この第２実施形態でも、前記エンジンの運転時には、前記油溜め１６に、ブローバイガスから前記フィルタ３によって分離されたオイルがオイル回収管１９を経由して貯溜される。そしてそのほかにも、潤滑のためにロッカー室２０に供給されてその天井面（バッフルプレート９の下面）に付着したオイルが、斜状に形成した前記傾斜部２２の下面を自重により伝うことで油溜め１６側に誘導され、開放部１７を通過して油溜め１６に落下する。
【００５８】
即ち、バッフルプレート９の下面のオイルが開放部１７経由で油溜め１６へ常時供給されるので、油溜め１６にオイルを絶えず一杯にすることができる。従って、油溜め１６の油面の低下を防止でき、オイル回収管１９の下端が開放されてロッカー室２０内のブローバイガスがフィルタ室２側に逆流することを防止できる。
【００５９】
以上に本発明の好適な複数の実施形態を説明したが、上記の実施形態は更に以下のように変更することもできる。
【００６０】
（１）誘導リブ２１や傾斜部２２でオイルを油溜め１６へ誘導する構成に限定されず、例えば油溜め１６の開放部１７に向けてオイルジェットプラグを配置し、噴射されたオイルが開放部１７から油溜め１６に補充される構成としても良い。この構成によっても、油溜め１６の油面を常時高く保つことができる。
【００６１】
なお、この（１）の場合も、前記の第１実施形態のように、チェーンケース３４等の内壁面３５に油溜め１６を設けることが望ましい。前記開放部１７の若干上側を狙ってオイルジェットを噴射することにより、そのオイルを内壁面３５を伝わらせて油溜め１６へ落下させることができ、オイルをより確実に油溜め１６に供給できるからである。同じ理由から、更に前記の誘導リブ２１を設ける方が好ましい（ただし、誘導リブ２１を省略しても差し支えない）。
【００６２】
（２）上記実施形態ではオイル分離室としてフィルタ室２を設け、不織布フィルタ３によりオイルを分離する構成としたが、これに限らず、他の構成のフィルタを設置することもできる。また、フィルタ室２の代わりに、フィルタを用いない衝突法のオイル分離室（例えば、特許文献１の蛇行通路を内部に備えるもの）、遠心分離室などを構成しても良い。
【００６３】
（３）オイルの回収経路としては、上記のオイル回収管１９のようにパイプ状に構成することに限定せず、例えば、ヘッドカバー３３、シリンダブロック３１やシリンダヘッド３２に形成した油孔であっても良い。
【００６４】
（４）油溜め１６の配設位置としては、チェーンケース３４内やヘッドカバー３３内に設ける場合に限定せず、例えば、クランクケース内に設けても良い。クランクケースやチェーンケース３４等のオイルの飛散が激しい箇所に油溜めを設置することで、油溜めへのオイルの補給が容易になり、ブローバイガスの逆流を確実に防止できる。なお、開放部１７が前述のエンジンの内部空間に開放されていれば、油溜め１６の容積の大半は外部、外壁面側に配置しても同等の効果を得ることが出来る。
【００６５】
（５）誘導リブ２１・２１は一対で設けず、単独で斜状に設けても良い。また、リブ状に設ける必要もなく、例えば樋状に構成しても良い。
【００６６】
（６）図４の第２実施形態において、油溜め１６の容器を前記ヘッドカバー３３の側壁に近接させて設置しても良いし、ヘッドカバー３３の側壁に、第１実施形態に示すようなポケット状の油溜めと誘導リブを形成しても良い。
【図面の簡単な説明】
【００６７】
【図１】第１実施形態の内燃機関の全体的な構成を示した縦断面図。
【図２】チェーンケースを内面側から見た図。
【図３】第１実施形態におけるブローバイガス及びオイルの流れを示す説明図。
【図４】第２実施形態におけるブローバイガス及びオイルの流れを示す説明図。
【符号の説明】
【００６８】
２  フィルタ室（オイル分離室）
１６  油溜め
１７  開放部
１９  オイル回収管（回収経路）
２１  誘導リブ
３３  ヘッドカバー
３４  チェーンケース（エンジン構成部材）
３５  内壁面
【図１】
2006152951.tif 000003
【図２】
2006152951.tif 000004
【図３】
2006152951.tif 000005
【図４】
2006152951.tif 000006